(57)【特許請求の範囲】
【請求項１】
入口から投入されたメダルの大きさを選別し、適正な大きさのメダルを受け入れ、不適な大きさのメダル類を排除する選別ガイド手段を備えた投入メダル選別装置であって、
入口から投入されたメダルを通過させる垂直なメダル導入通路と、
該メダル導入通路からのメダルをメダル厚み方向に傾斜させて通過させる傾斜通路と、
前記メダル導入通路と前記傾斜通路とを接続すると共にメダル厚み方向に広幅でかつ湾曲した湾曲通路とを設け、
該湾曲通路には該通路に先端部を突出しかつ付勢バネで該通路方向に付勢させて臨ませたメダル受入ガイド手段を備え、
該メダル受入ガイド手段は、メダルの降下時には該メダルに押されて通路退避方向に退避許容し、入口から投入されたメダルが上方へ引き戻されることによって入口側に上昇した時には通路退避方向への移動を規制する
投入メダル選別装置。
【発明の詳細な説明】
【０００１】
【発明の属する技術分野】
この発明は、例えば大衆娯楽の１つとして利用されるスロットマシンのような遊技機の投入メダル選別装置に関し、さらに詳しくは適用外の小径メダルや流通硬貨等が投入された場合に簡単な構成で効率よく返却することができる遊技機の投入メダル選別装置に関する。
【０００２】
【従来の技術】
一般に、この種のメダル（コイン）選別装置は、特開平８ー２４４３４号公報に示すように、投入口の内方に垂直方向から斜め下向きに傾斜させたメダル通路を設け、この通路をメダルが通過する時に、自重により転動して搬送される過程でメダルを適・不適の大きさ別に選別して、取込み処理と返却処理を行っている。
【０００３】
この場合、メダル通路に適正な大きさのメダルが投入されたときは、同メダルがメダル通路を通って内方に取込まれる。これに対し、小径の不適なメダルが投入されたときは、このメダル通路の取込み途中で横倒しされて、その側方に開口する排出口に排出され、これより下方の返却口へと返却される。
【０００４】
このとき、投入されたメダルが内方のメダル通路を通過するとき、その速さが速すぎてメダルが排除されるべき位置で排除されない場合があった。
【０００５】
このため、メダル通路の形状を、図９に示すように、投入口９１に連通する垂直なメダル導入通路９２に対し、これよりメダル厚み方向に傾斜させて投入されたメダルＭを安定降下させるように配慮した傾斜通路９３を組込むことが考えられる。
【０００６】
【発明が解決しようとする課題】
しかし、このようなメダル導入通路から傾斜通路へと続く通路接続部分では通路内スペースが湾曲して通過抵抗が高いため、メダル厚み方向のスペースを広くとってメダルが滑らかに通過するように設定する必要がある。
【０００７】
ところが、通路内スペースを広くとると、メダルとの接触抵抗が小さくなって、メダルが高速降下して内方に取込まれることがある。このため、排除すべき小径のメダル類を取込んだり、検知位置でのメダルの判別性能が低下して、誤計数によるメダル飲込みを生じる恐れがあった。
【０００８】
さらに、通路内スペースを広くとることによって、その広い部分で連続投入されたメダルが２枚重なり、あるいはバタついてメダル詰りを発生させる可能性が高くなる問題を有していた。
【０００９】
そこでこの発明は、投入口からのメダルの取込みに際して、垂直なメダル導入通路からメダル厚み方向に傾斜させた傾斜通路へと続く湾曲部分にメダル安定降下用のメダル受入れガイド手段を備えることにより、通路内でのメダル詰りを解消した遊技機の投入メダル選別装置を提供することを目的とする。
【００１０】
【課題を解決するための手段】
この発明は、入口から投入されたメダルの大きさを選別し、適正な大きさのメダルを受け入れ、不適な大きさのメダル類を排除する選別ガイド手段を備えた投入メダル選別装置であって、入口から投入されたメダルを通過させる垂直なメダル導入通路と、該メダル導入通路からのメダルをメダル厚み方向に傾斜させて通過させる傾斜通路と、前記メダル導入通路と前記傾斜通路とを接続すると共にメダル厚み方向に広幅でかつ湾曲した湾曲通路とを設け、該湾曲通路には該通路に先端部を突出しかつ付勢バネで該通路方向に付勢させて臨ませたメダル受入ガイド手段を備え、該メダル受入ガイド手段は、メダルの降下時には該メダルに押されて通路退避方向に退避許容し、入口から投入されたメダルが上方へ引き戻されることによって入口側に上昇した時には通路退避方向への移動を規制することを特徴とする。
【００１１】
この結果、入口にメダルが投入されると、投入されたメダルは垂直なメダル導入通路からメダル選別促進用の傾斜通路へと続く湾曲通路の位置で付勢突出されたメダル受入ガイド手段の先端部に軽く押圧され、その押圧付勢作用を受けながら降下するため、ここに導かれたメダルは全て通路のメダル厚み方向の一方の壁面に寄せられてメダル１枚分の通過ガイド機能を受けながら降下する。
【００１２】
このため、メダルの通過性を高めるために広幅通路にしても、メダルの降下に適した通路を形成できる。ことに、広い通路スペースを要する湾曲通路の位置にメダル受入ガイド手段を配設した場合は、このメダル受入ガイド手段がメダルを１枚切りする如く押圧ガイドする役目を果たすため、広い通路であってもメダルの２枚重なりやバタつきを解消してメダルの詰りを解消した取込み動作ができる。
【００１３】
したがって、メダルを連続投入しても、このメダル受入れガイド手段が、ここに導かれたメダルを１枚ずつ通過ガイドして受入れるため、連続投入されてもメダルを１枚ずつ区分して取込み動作することができる。
【００１４】
また、メダル受入ガイド手段は投入直後に勢いよく降下するメダルに対し、軽く接触するため減速降下させることができる。このため、高速降下する垂直方向の通路での通過速度を抑制して、この垂直方向の通路から低速転動させる傾斜通路へと方向変換されるメダルの速度差を小さくすることができる。このため、入口に投入されたメダルは、メダルの取込みに適した速度変動の少ない安定した速度で内方に取込むことができる。また、検知性能においても、適正な大きさのメダルと、排除すべき小径のメダル類とを検知位置で正確に判別できるため、誤計数によるメダル飲込みの発生を未然に防止することができる。
【００１５】
このように、入口の内方に形成される湾曲通路にメダル受入ガイド手段を設けるだけで、メダルを安定させて取込む１枚取込みガイド機能が得られるため、簡素化したシンプルな構成でありながら高性能のメダル受入効果が得られる。
【００１６】
さらに、メダル受入ガイド手段はメダルの降下時に該メダルに押されて通路退避方向に退避許容し、入口から投入されたメダルが上方へ引き戻されることによって入口側に上昇した時には通路退避方向への移動を規制する構成を有しているため、不正なプレーヤが糸吊りメダルを使ってそのメダルを上方に引き戻そうとしても、このときはメダル受入ガイド手段が通路より退避せず、位置規制された状態にあるため糸吊りメダルを用いた不正な引き戻し操作を確実に防止できる。
【００１７】
ここで、前記入口とは、適正な大きさのメダルを受入れ許容する１枚投入分の開口部を有し、それ以上の大径メダルおよび極厚メダルは、この入口の部分で投入規制される。
【００１８】
前記適正な大きさのメダルとは、遊技利用専用に設けられた一定の大きさの円板形状を有するメダルであり、不適な大きさのメダル類とは、正規の大きさのメダルより小径の流通硬貨、偽造メダルなどを意味する。
【００１９】
前記メダル厚み方向の傾斜とは、通路上で転動するメダルの横倒し作用がメダル自身の自重で自然に発生する傾斜角度であり、この傾斜角度が小さ過ぎると横倒し作用が遅れ気味になり、また大き過ぎると適正なメダルに対する転動負荷が増してしまうので１５°程度が好ましい。
【００２０】
前記選別ガイド手段とは、傾斜通路の一部を形成し、適正な大きさのメダルを搬送ガイドするメダル受付ガイド位置と、不適な大きさのメダル類を排出口に排出動作させるメダル受付規制位置とに可動して切換える可動ガイド板で構成することができる。
【００２１】
前記メダル受入ガイド手段とは、可動許容して配設される可動突片と、この可動突片を湾曲通路側に向けて軽く付勢する付勢バネとを組合せて構成することができる。
【００２２】
【発明の実施の形態】
この発明の一実施の形態を以下図面に基づいて詳述する。
図面は遊技ホールに設置されるスロットマシンの投入メダル選別装置を示し、図１において、このスロットマシン１１は前面の遊技操作面の一側にメダルＭを１枚ずつ受入れる投入口１２を開口し、この投入口１２に投入された正規の大きさのメダルを内部に取込み、不適な大きさのメダル類を外部の返却口１３に返却する選別機能を内蔵している。また、投入口１２の横には返却ボタン１４を隣設しており、この返却ボタン１４をプレーヤが遊技中止するために押下操作した場合もメダルＭを返却口１３に返却処理する。
【００２３】
図２はスロットマシン１１の前面扉１５を片開き式に開口した扉の内面状態を示し、この開口されたスロットマシン本体１１ａ側には上部にリール１６を有し、下部にメダル取込み用のホッパ１７と、図示しないメダル返却通路と、電源装置１８とを有している。
【００２４】
一方、前面扉１５側には内面に、上部よりリールカバー１９と、投入メダル選別装置（メダルセレクタ）２０と、返却口１３とをこの順に配設している。
【００２５】
図３および図４は投入メダル選別装置２０を示し、この投入メダル選別装置２０はコ形基板２１と開閉板２２とを一体に組合せて投入メダル選別用のメダル通路２３を形成し、その外側をコ形カバー２４で覆って一体構成している。
【００２６】
上述のメダル通路２３は、上方の投入口１２と接続対応する入口２５と下方の出口２６との間を垂直路２３ａと、これより緩やかに傾斜する傾斜路２３ｂとを接続して形成している。
【００２７】
このうち、垂直路２３ａのコ形基板２１側には、背面側から通路側に向けて水平に突出するメダル安定降下用の可動突片２７を突設し、この可動突片２７を図５に示すように、後方より軽負荷用のバネ２８で軽く付勢して突出状態に保持している。
【００２８】
この可動突片２７は、図８にも示すように、上方の枢支部２９を回動支点に軸支され、通常は可動突片２７の先端部が、軽負荷用のバネ２８の付勢力を受けてコ形基板２１の小窓３０から垂直路２３ａ側に向けて突出した状態にあり、投入されたメダルＭが上方から勢いよく下向きに通過する時には、該メダルＭに押されて通路退避方向に略水平に後退し、投入されたメダルＭをそのまま通過許容させる。
【００２９】
この場合、通路はメダルの通過性を高めるために広幅通路にすることが好ましいが、その反面、メダルの詰りが発生しやすくなる傾向にある。このような場合も、上述の可動突片２７の突出作用により、ここに導かれて降下するメダルＭを垂直路２３ａのメダル厚み方向の開閉板２２側の壁面に寄せて通過させることができるため、可動突片２７がメダル１枚分の通過ガイド機能を有してメダルの降下に適した通路を形成する。このため、メダルの詰りを解消した安定した通路を形成できる。ことに、垂直路２３ａから傾斜路２３ｂへと続く広幅の湾曲通路Ｒに適用した場合に適している。
【００３０】
この広い通路スペースを要する湾曲通路Ｒの位置に可動突片２７を配設した場合は、この可動突片２７がメダルを１枚切りする如く押圧ガイドする役目を果たすため、広い通路であってもメダルの２枚重なりやバタつきを解消してメダルの詰りを解消した取込み動作ができる。
【００３１】
したがって、メダルを連続投入しても、この可動突片２７が、ここに導かれたメダルを１枚ずつ通過ガイドして受入れるため、連続投入されてもメダルを１枚ずつ区分して取込み動作することができる。
【００３２】
また、可動突片２７は投入直後に勢いよく降下するメダルＭに軽く接して減速させることができるため、高速降下する垂直路２３ａから低速転動させる傾斜路２３ｂへと方向変換されて搬送されるメダルＭの速度差を小さくすることができ、それゆえメダルの取込みに適した速度変動の少ない安定した速度で内方に取込むことができる。
【００３３】
さらに、この可動突片２７には糸吊りメダル防止機能も併せて持たせている。この糸吊りメダル防止機能は、可動突片２７を軸支する上方の枢支部２９の位置を基準にして下方の位置で突出させている。このため、糸吊りメダルを使って上方に引き戻そうとしても、この可動突片２７は上方の枢支部２９で位置規制された状態に軸支されているため横方向には動くが上下方向には移動せず、糸吊りメダルを用いた上方への引き戻し操作を確実に防止できる。
【００３４】
次に、傾斜路２３ｂのコ形基板２１側には、傾斜路２３ｂと平行する上側に該通路の上側の一部を形成する可動ガイド板３１を配設しており、ここを転動通過するメダルＭの頂部を逆Ｌ形状の可動ガイド板３１で搬送ガイドする。
【００３５】
また、傾斜路２３ｂの出口２６部分の直前には一対の通過検知センサＳ1 ，Ｓ2 を配設しており、これらセンサＳ1 ，Ｓ2 で通過したメダルＭ…の数を計数する。この場合も、メダルの速度変動が少なく、安定して通過させることから検知性能においても、適正な大きさのメダルと、排除すべき小径のメダル類とを検知位置で正確に判別できるため、誤計数によるメダル飲込みの発生を未然に防止することができる。
【００３６】
さらに、コ形基板２１のメダル通路２３の内面には、垂直路２３ａから傾斜路２３ｂにかけて平行する複数条のリブ３２…を等間隔に突出形成している。これらのリブ３２…を設けることにより、メダル通路２３には凹凸面を有して投入されたメダルＭはメダル通路２３のスペース内でメダルの外表面がリブ３２…の頂部に線接触して取込まれるためメダルとの接触面積が少なくなり、投入されたメダルの通過抵抗を軽減して高速で円滑な搬送を促進する。また、リブの形状はメダルの通過抵抗が小さくなる形状に設定する。
【００３７】
上述のメダル通路２３の片側には、後述する開閉板２２がコ形基板２１に対設して該通路２３の片側を形成するガイド構造を有している。
【００３８】
上述の開閉板２２は、コ形基板２１の軸受３３に軸支される軸３４を設け、この軸３４を中心として回動自在にコ形基板２１の軸受３３に装着され、通常はバネ３５によってコ形基板２１に開閉板２２の一部が当接するように付勢されて一体化され、双方の間でメダル通路２３が形成されている。
【００３９】
さらに、開閉板２２には、図３に示すように、メダル通路２３の傾斜路２３ｂに沿って開口する楕円状の排出口３６を中央部に大きく開口している。この開閉板２２をコ形基板２１のコ形内面に装着してメダル通路２３を形成し、ここに適用外（小径）のメダルＭ1 が導かれたとき、この排出口３６より排出するものである。
【００４０】
この開閉板２２の内面側には、図６に示すように、コ形基板２１の垂直路２３ａとの対向面に、コ形基板２１側のリブ３２…と同方向の同様な複数条のリブ３７…を形成している。
【００４１】
したがって、メダル通路２３内では、両面のリブ３２，３７…の線接触作用をメダルＭが受けることにより、投入されたメダルの通過抵抗を一層軽減して円滑な搬送を促進する。
【００４２】
次に、メダル通路２３の傾斜について説明する。このメダル通路２３は、図７に示すように、メダルＭを起立状態で取込む１枚分の通路スペースを有し、かつ起立状態にあるメダルの厚み方向に対して１５°程度傾斜させて設けている。
【００４３】
この傾斜角度は開閉板２２が傾斜下側になるように設定し、メダル通路２３内では転動搬送されるメダルＭが傾斜下側の開閉板２２側に傾かせた状態で搬送させる。これにより、小径の不適なメダルが投入されたときは、転動通過時にメダル通路２３内で小径ゆえに底面側だけがガイドされて、頂部側は可動ガイド板３１に接触せず、頂部側がガイドされないまま転動する。このため、メダルは自重でメダル厚み方向の傾斜下側に傾き始め、その傾斜下側に対向する開閉板２２の排出口３６へと横倒れして排出される。
【００４４】
このように、転動搬送過程のメダルを、メダル自身の自重によりメダル厚み方向に傾斜させて自然に横倒しさせる役目を持つメダル通路２３を設けることにより、排除すべき小径の適用外メダルＭ1 を的確に傾倒させて排出動作させるメダル排除機能が得られる。
【００４５】
また、メダル通路２３が的確に排除機能の役割を果たすため簡素化したシンプルな構成で性能のよいメダルの取込み・排除の選別効果が得られる。この結果、複雑な排除機構を省略できるため部品点数を削減でき、低コスト化を図った投入メダルの選別装置を実現できる。
【００４６】
上述のメダル厚み方向の傾斜割合は、通路上で転動するメダルの横倒し作用がメダル自身の自重で自然に行われる傾斜角度が適している。この傾斜角度が小さ過ぎると横倒し作用が遅れ気味になり、また大き過ぎると適正なメダルに対する転動負荷が増してしまうので１０°〜２０°程度、好ましくは１５°位が適している。図中、３８はリブの一部をメダル傾倒方向にさらに突出させたメダル傾倒促進用の突起である。
【００４７】
また、プレーヤの操作によっても、投入されたメダルを返却あるいは詰った異物を排出できるように次のように構成している。この返却操作は、図７に示すように、プレーヤが返却ボタン１４を押すと、その押下げられた返却ボタン１４の下側に対応する回動自由に軸支された回動カム３９を回動させ、この回動カム３９の先端が開閉板２２を押し広げるように動き、これに連動して開閉板２２は軸３４を中心に回動してコ形基板２１との対向面間を大きく開くので、この開いた部分から詰ったメダルや異物を排除することができる。
【００４８】
さらに、遊技ホールの準備が未完了の場合やスロットマシンが稼動状態にない場合は、投入されたメダルが正規のメダルであっても受付拒否して返却口１３に返却する受付規制機構４０を内蔵している。
【００４９】
この受付規制機構４０は、既述した可動ガイド板３１を回動自由に軸支する軸支部４１をコ形基板２１の背面側の壁面後方に設け、この軸支部４１を共通の回動支点として逆Ｌ形状の可動ガイド板３１を取付け、この可動ガイド板３１の先端を、コ形基板２１の背面側からメダル通路２３を跨いだ開閉板２２の排出口３６側に臨ませた状態で、メダル頂部ガイド用に介在させている。
【００５０】
そして、コ形基板２１の背面側に配設したソレノイド４２をＯＮ・ＯＦＦ操作することにより、これに傾動レバー４３を介して連結された可動ガイド板３１を上下方向に可動して、上動位置のメダル受付規制状態と下動位置のメダル受入れ状態に切換えられる。
【００５１】
上述のソレノイド４２をＯＮしたときは、励磁作用が働いて可動ガイド板３１の先端部が、メダル通路２３に沿ってメダル頂部を受入れガイドする下動位置に移動し、メダル受入れ状態になる。この受入れ状態のメダル通路２３は下部が開閉板２２とコ形基板２１との対向面間および、その間に位置する耐磨耗性に優れた金属材の底板４４とでメダル転動通過用の凹溝を形成し、上部が可動ガイド板３１とコ形基板２１との対向面間でメダル転動通過用の凹溝を形成している。
【００５２】
一方、ソレノイド４２をＯＦＦしたときは、傾動レバー４３に取付けられた復帰バネ４５の復帰作用が働いて、可動ガイド板３１が傾動レバー４３を介して凹溝開方向に引かれ、軸支部４１を支点に回動し、このときメダル通路２３を形成していた上部側の凹溝の一側が開いてメダル通路が排除用に開放されるメダル受入れ規制状態になり、ここに至ったメダルは１枚ずつ横倒し動作されて排除される。
【００５３】
また、メダルの通過を検知する既述した２つの通過検知センサＳ1 ，Ｓ2 は同検知構造を有し、メダル通路２３の片面側に相当するコ形基板２１の背面側に配置構成して検知構造の小型化を図っている。
【００５４】
図中、Ｌ1 はメダル厚み方向の傾斜開始位置を示す上傾斜ライン、Ｌ2 はメダル厚み方向の傾斜終了位置を示す下傾斜ライン、Ｐはコ形基板２１の取付けピン、Ｋ1 はカバー取付け係合凸部、Ｋ2 はカバー取付け係合凹部を示す。
【００５５】
このように構成された投入メダル選別装置２０を用いたメダル受入動作を次に説明する。
今、スロットマシン１１が稼動状態のときに、プレーヤが投入口１２にメダルＭを投入すると、投入されたメダルＭは、図８（Ａ）に示すように、垂直路２３ａからその下方に若干傾斜する傾斜路２３ｂへと続く湾曲通路Ｒの位置で、この湾曲通路Ｒに向けて付勢突出された可動突片２７の先端部に軽く押圧され、その押圧付勢作用を受けながら降下する。このため、ここに導かれたメダルＭは全て湾曲通路Ｒのメダル厚み方向の開閉板２２側の壁面に寄せられて１枚ずつ安定降下する。
【００５６】
この場合、湾曲通路Ｒは円滑なメダルの通過性を要するために広い通路スペースが形成されるが、この位置に可動突片２７が介在して、この可動突片２７がメダルＭを１枚切りする如く押圧ガイドする役目を果たすため、広い通路であってもメダルの通過領域を制限してメダルの２枚重なりやバタつきを解消してメダルの詰りを解消した取込み動作ができる。
【００５７】
したがって、メダルを連続投入しても、この可動突片２７が、ここに導かれたメダルを１枚ずつ区分して取込み動作することができる。
【００５８】
また、可動突片２７は投入直後に勢いよく降下するメダルに対し、軽く接触するため減速降下させることができる。このため、高速降下する垂直方向の通過速度を抑制して、この垂直路２３ａから低速転動させる傾斜路２３ｂへと方向変換されるメダルの速度差を小さくすることができる。このため、投入口に投入されたメダルＭは、メダルの取込みに適した速度変動の少ない安定した速度で内方に取込むことができる。また、検知性能においても、適正な大きさのメダルと、排除すべき小径の適用外メダルＭ1 とを検知位置で正確に判別できる。
【００５９】
そして、取込んだ枚数は出口２６近傍の通過検知センサＳ1 ，Ｓ2 により計数され、計数された値は図示しない制御部へと伝送されてデータ管理される。
【００６０】
さらに、図８（Ｂ）に示すように、プレーヤが不正に糸吊りメダルを使ってそのメダルを上方に引き戻そうとしても、このときは可動突片２７が枢支部２９を回動支点として水平方向に移動するが、垂直方向には移動しないため湾曲通路Ｒより退避せず、メダルの上動を位置規制した状態になり、糸吊りメダルを用いた不正な引き戻し操作を確実に防止することができる。
【００６１】
上述のように、投入口に投入されたメダルは広幅の湾曲通路を通過するときに、可動突片により軽く押圧され、その押圧付勢作用を受けながら降下するため、ここに導かれたメダルは全て１枚分の通過ガイド機能を受けながら降下し、広い通路であってもメダルの２枚重なりやバタつきを解消してメダルの詰りを解消した取込み動作ができる。したがって、メダルを連続投入しても可動突片が、ここに導かれたメダルを１枚切りする如く押圧ガイドして受入れるため、連続投入されてもメダルを１枚ずつ区分して取込み動作することができ、誤計数によるメダル飲込みの発生を未然に防止することができる。
【００６２】
この発明の構成と、上述の一実施の形態の構成との対応において、
この発明の選別ガイド手段は、実施の形態の可動ガイド板３１に対応し、
以下同様に、
入口は投入口１２に対応し、
垂直なメダル導入通路は、垂直路２３ａに対応し、
傾斜通路は、傾斜路２３ｂに対応し、
メダル受入ガイド手段は、可動突片２７に対応し、
付勢バネは、軽負荷用のバネ２８に対応し、
広幅湾曲通路は、湾曲通路Ｒに対応するも、この発明は請求項に示される技術思想に基づいて応用することができ、上述の一実施の形態の構成のみに限定されるものではない。
【００６３】
【発明の効果】
この発明によれば、投入口の内方に形成される湾曲通路に、メダル受入ガイド手段を設けるだけで、投入されたメダルを１枚ずつ安定して取込む１枚取込みガイド機能が得られるため、簡素化したシンプルな構成でありながら高性能のメダル受入効果が得られる。
さらに、メダル受入ガイド手段はメダルの降下時に該メダルに押されて通路退避方向に退避許容し、投入口から投入されたメダルが上方へ引き戻されることによって入口側に上昇した時には通路退避方向への移動を規制する構成を有しているため、不正なプレーヤが糸吊りメダルを使ってそのメダルを上方に引き戻そうとしても、このときはメダル受入ガイド手段が通路より退避せず、位置規制された状態にあるため糸吊りメダルを用いた不正な引き戻し操作を確実に防止できる。
【図面の簡単な説明】
【図１】  この発明のスロットマシンを示す外観斜視図。
【図２】  この発明の投入メダル選別装置の前面扉を開けた内面状態を示す正面図。
【図３】  この発明の投入メダル選別装置を示す要部斜視図。
【図４】  この発明の投入メダル選別装置を示す展開斜視図。
【図５】  この発明のコ形基板の駆動側を示す背面図。
【図６】  この発明の開閉板のリブ形成状態を示す側面図。
【図７】  この発明のメダル通路を示す縦断面図。
【図８】  この発明の可動突片の突出状態を示す要部縦断面図。
【図９】  従来の傾斜通路でのメダル詰り状態の一例を示す要部縦断面図。
【符号の説明】
１１…スロットマシン
１２…投入口
１３…返却口
２０…投入メダル選別装置
２３ａ…垂直路
２３ｂ…傾斜路
２７…可動突片
２８…軽負荷用のバネ
３１…可動ガイド板
Ｍ…メダル
Ｍ1 …適用外メダル
Ｒ…湾曲通路
【図１】
0004085585.tif 000002
【図２】
0004085585.tif 000003
【図３】
0004085585.tif 000004
【図４】
0004085585.tif 000005
【図５】
0004085585.tif 000006
【図６】
0004085585.tif 000007
【図７】
0004085585.tif 000008
【図８】
0004085585.tif 000009
【図９】
0004085585.tif 000010